(57)【要約】【課題】ヘッドセットの接続先を切替える際の消費電力を低減すること。【解決手段】携帯端末装置は、第１の無線通信方式により通信を行う第１の無線通信部と、第２の無線通信方式により通信を行う第２の無線通信部と、第１の無線通信部がヘッドセットと接続中に、第１の無線通信方式、第２の無線通信方式により通信可能な通信端末を検出した場合に、第２の無線通信部に、通信端末と接続させ、通信端末へ第１の無線通信方式によるサーチを実行させる情報を送信し、通信端末からヘッドセットが検出されたことが通知された場合に、通信端末へ、第１の無線通信方式により前記ヘッドセットとの通信を開始させる情報を送信する制御を実行する制御部とを有する。【選択図】図５
2015082760.tif 000002
【特許請求の範囲】
【請求項１】
第１の無線通信方式により通信を行う第１の無線通信部と、
第２の無線通信方式により通信を行う第２の無線通信部と、
前記第１の無線通信部がヘッドセットと接続中に、前記第１の無線通信方式、第２の無線通信方式により通信可能な通信端末を検出した場合に、前記第２の無線通信部に、前記通信端末と接続させ、前記通信端末へ前記第１の無線通信方式によりサーチを実行させる情報を送信し、前記通信端末から前記ヘッドセットが検出されたことが通知された場合に、前記通信端末へ、前記第１の無線通信方式により前記ヘッドセットとの通信を開始させる情報を送信する制御を実行する制御部と
を有する、携帯端末装置。
【請求項２】
前記制御部は、前記通信端末へ、前記ヘッドセットの情報を通知する制御を実行し、
前記ヘッドセットの情報に基づいて、前記通信端末により、前記ヘッドセットが検出されたか否かが判定される、請求項１に記載の携帯端末装置。
【請求項３】
前記制御部は、前記第１の無線通信部に前記ヘッドセットとの通信を切断させた後に、前記通信端末へ、前記第１の無線通信方式により前記ヘッドセットとの通信を開始させる情報を送信する制御を実行する、請求項１又は２に記載の携帯端末装置。
【請求項４】
前記制御部は、前記第２の無線通信部により前記第２の無線通信方式により通信可能なエリアに進入したことが検知されたことを契機として、前記第１及び第２の無線通信方式により通信可能な通信端末を検出する処理を開始する制御を実行する、請求項１ないし３のいずれか１項に記載の携帯端末装置。
【請求項５】
第１の無線通信方式、第２の無線通信方式により通信可能な通信端末を、前記第１の無線通信方式によりヘッドセットと接続中に検出した場合に、前記第２の無線通信方式により前記通信端末と接続させ、
前記通信端末へ、前記第１の無線通信方式によるサーチを実行させる情報を送信し、
前記通信端末から前記ヘッドセットが検出されたことが通知された場合に、前記通信端末へ、前記第１の無線通信方式により前記ヘッドセットとの通信を開始させる情報を送信する制御を実行する、通信制御方法。
【発明の詳細な説明】
【技術分野】
【０００１】
本発明は、無線通信システムに関する。
【背景技術】
【０００２】
第１の通信端末が、第２の通信端末とブルートゥース（登録商標）による無線通信中に第３の通信端末の存在を検知した場合、第２の通信端末との間の接続を切断して、第３の通信端末に接続を切替える技術が知られている（例えば、特許文献１参照）。
【先行技術文献】
【特許文献】
【０００３】
【特許文献１】特開２０１１−１４７００４号公報
【発明の概要】
【発明が解決しようとする課題】
【０００４】
例えば、第１の通信端末をヘッドセットに適用し、第２の通信端末をスマートフォン等の携帯端末装置に適用し、第３の通信端末をタブレット端末等の携帯端末装置に適用することを考える。
【０００５】
この場合、ヘッドセットが、スマートフォンとブルートゥース（登録商標）により無線通信中にタブレット端末を検知した場合に、スマートフォンとの間の接続を切断して、タブレット端末に接続を切替えることができる。
【０００６】
しかし、ヘッドセットがタブレット端末を検知するためには、ヘッドセットは、周辺の通信機器をサーチする必要がある。このため、ヘッドセットの消費電力が増大する。
【０００７】
開示の携帯端末装置は、ヘッドセットの接続先を切替える際の消費電力を低減することを目的とする。
【課題を解決するための手段】
【０００８】
開示の一実施例の携帯端末装置は、
第１の無線通信方式により通信を行う第１の無線通信部と、
第２の無線通信方式により通信を行う第２の無線通信部と、
前記第１の無線通信部がヘッドセットと接続中に、前記第１の無線通信方式、前記第２の無線通信方式により通信可能な通信端末を検出した場合に、前記第２の無線通信部に、前記通信端末と接続させ、前記通信端末へ前記第１の無線通信方式によりサーチを実行させる情報を送信し、前記通信端末から前記ヘッドセットが検出されたことが通知された場合に、前記通信端末へ、前記第１の無線通信方式により前記ヘッドセットとの通信を開始させる情報を送信する制御を実行する制御部と
を有する。
【発明の効果】
【０００９】
開示の実施例によれば、ヘッドセットの接続先を切替える際の消費電力を低減することができる。
【図面の簡単な説明】
【００１０】
【図１】携帯端末装置の一実施例が適用される状況（その１）を示す図である。
【図２】携帯端末装置の一実施例が適用される状況（その２）を示す図である。
【図３】携帯端末装置の一実施例が適用される状況（その３）を示す図である。
【図４】携帯端末装置の一実施例を示す図である。
【図５】携帯端末装置の一実施例を示す機能ブロック図である。
【図６】ヘッドセット通信情報の一実施例を示す図である。
【図７】通信端末の情報の一実施例を示す図である。
【図８】ヘッドセットの一実施例を示す図である。
【図９】通信端末の一実施例を示す図である。
【図１０】通信端末の一実施例を示す機能ブロック図である。
【図１１】ヘッドセットを通信端末へ登録する処理の一実施例を示すシーケンスチャートである。
【図１２】通信端末の動作の一実施例を示すフローチャートである。
【図１３】携帯端末装置の動作の一実施例を示すシーケンスチャートである。
【図１４】携帯端末装置の動作の一実施例を示すフローチャートである。
【図１５】通信端末の動作の一実施例を示すフローチャートである。
【発明を実施するための形態】
【００１１】
以下、図面に基づいて、実施例を説明する。
なお、実施例を説明するための全図において、同一機能を有するものは同一符号を用い、繰り返しの説明は省略する。
【００１２】
＜携帯端末装置１００＞
図１は、携帯端末装置１００の一実施例が適用される状況を示す。
【００１３】
携帯端末装置１００の近傍には、ヘッドセット２００が配置されている。携帯端末装置１００とヘッドセット２００との間は、ブルートゥース（登録商標）等の近距離無線通信方式により接続される。
【００１４】
携帯端末装置１００の一実施例は、ヘッドセット２００と、ブルートゥースにより接続される。携帯端末装置１００とヘッドセット２００との間がブルートゥース以外の近距離無線通信方式により接続されてもよい。
【００１５】
図２は、近距離無線通信方式により接続されている携帯端末装置１００とヘッドセット２００が、無線ＬＡＮにより通信可能なエリア（以下、「無線ＬＡＮ通信エリア」という）に進入した状況を示す。
【００１６】
無線ＬＡＮ通信エリアには、アクセスポイント３００が設置される。アクセスポイント３００は、「親機」、「基地局」等と呼ばれることもある。また、無線ＬＡＮ通信エリアには、ブルートゥース等の近距離無線通信方式により通信できる通信端末４００が存在する。通信端末４００の一実施例は、ブルートゥースにより通信可能である。通信端末４００がブルートゥース以外の近距離無線通信方式により通信可能であってもよい。通信端末４００は、アクセスポイント３００と、無線ＬＡＮにより接続される。図２に示される状況では、携帯端末装置１００とヘッドセット２００との間は、ブルートゥースにより接続される。
【００１７】
携帯端末装置１００は、アクセスポイント３００からのビーコンフレームにより、無線ＬＡＮ通信エリアへ進入したことを検知する（Passive Scan）。例えば、携帯端末装置１００は、アクセスポイント３００からのビーコンフレームを受信し、ＥＳＳＩＤと合致するアクセスポイントを探索する。携帯端末装置１００は、ＥＳＳＩＤと合致するアクセスポイントとの間で、認証、アソシエーション等の接続処理を実行する。
【００１８】
また、携帯端末装置１００からプローブリクエストを送信し、アクセスポイント３００がそのレスポンスを返すことにより、無線ＬＡＮ通信エリアへ侵入したことを検知するようにしてもよい（Active Scan）。
【００１９】
無線ＬＡＮ通信エリアへ進入した携帯端末装置１００は、周辺をサーチし、ヘッドセット２００と通信可能な通信端末４００を検知する。例えば、携帯端末装置１００は、無線ＬＡＮ経由で、周辺をサーチする。携帯端末装置１００は、周辺をサーチすることにより、ブルートゥース通信が可能な通信端末４００を検知する。
【００２０】
図３は、携帯端末装置１００によりヘッドセット２００と通信可能な通信端末４００が検知された状況を示す。
【００２１】
ヘッドセット２００と通信可能な通信端末４００を検知した場合、携帯端末装置１００は、該通信端末４００へ、ヘッドセット２００との間での通信に使用される情報（以下、「ヘッドセット通信情報」という）を送信する。
【００２２】
ヘッドセット通信情報を送信後、携帯端末装置１００は、通信端末４００へ、周辺サーチを依頼する情報（以下、「周辺サーチ依頼情報」という）を送信する。
【００２３】
通信端末４００は、携帯端末装置１００からの周辺サーチの依頼に従って、周辺サーチを実行する。通信端末４００は、ヘッドセット２００が検出された場合、携帯端末装置１００へ、ヘッドセット２００が検出されたことを示す情報（以下、「ヘッドセット検出通知情報」という）を通知する。携帯端末装置１００は、通信端末４００から、ヘッドセット検出通知情報を受信すると、ヘッドセット２００との接続を切断する。
【００２４】
携帯端末装置１００は、ヘッドセット２００との接続を切断後、通信端末４００へ、近距離無線通信方式により通信を開始することを依頼する情報（以下、「通信開始依頼情報」という）を送信する。
【００２５】
通信端末４００は、携帯端末装置１００からの通信開始依頼情報に従って、ヘッドセット２００との間で、近距離無線通信方式による無線通信を開始する。
【００２６】
ヘッドセット２００と近距離無線通信方式により接続されている携帯端末装置１００により、該ヘッドセット２００と近距離無線通信方式により通信可能な通信端末４００が検出される。このため、ヘッドセット２００は周辺の通信機器をサーチする必要がなく、接続先を切替える際の消費電力を低減できる。
【００２７】
＜携帯端末装置１００＞
図４は、携帯端末装置１００の一実施例を示す。図４は、主に、携帯端末装置１００のハードウェア構成が示される。
【００２８】
携帯端末装置１００は、プロセッサ１０２と、無線部１０４と、オーディオ入出力部１０６と、無線ＬＡＮ通信部１０８と、近距離無線通信部１１０と、記憶部１１２と、入力部１１８と、表示部１２０とを有する。
【００２９】
プロセッサ１０２は、無線部１０４、オーディオ入出力部１０６、無線ＬＡＮ通信部１０８、近距離無線通信部１１０、記憶部１１２、入力部１１８、表示部１２０を制御する。携帯端末装置１００が複数のプロセッサを有するようにしてもよい。この場合、携帯端末装置１００は、携帯端末装置１００の本体を制御するプロセッサと、無線ＬＡＮ通信部１０８と近距離無線通信部１１０を制御するプロセッサとを有するようにしてもよい。例えば、無線ＬＡＮ通信部１０８と近距離無線通信部１１０を制御するプロセッサは、無線ＬＡＮ、近距離無線通信による接続（Ｃｏｎｎｅｃｔｉｖｉｔｙ）を制御する。
【００３０】
無線ＬＡＮ通信部１０８と近距離無線通信部１１０は共通としてもよい。ＣＯＥＸと呼ばれる技術を用いることにより、無線ＬＡＮ通信と近距離無線通信とを同時に動作させることができる。
【００３１】
無線部１０４は、プロセッサ１０２と接続される。無線部１０４は、基地局（図示無し）から送信された無線信号を受信し、所定の信号処理を実行し、プロセッサ１０２へ入力する。また、無線部１０４は、プロセッサ１０２による制御により入力される信号に所定の処理を実行し、基地局（図示無し）へ、送信する。
【００３２】
オーディオ入出力部１０６は、プロセッサ１０２と接続される。オーディオ入出力部１０６は、レシーバ（受話器）からの音に所定の信号処理を実行し、プロセッサ１０２に入力する。また、オーディオ入出力部１０６は、プロセッサ１０２による制御により、スピーカから音を発する。
【００３３】
無線ＬＡＮ通信部１０８は、プロセッサ１０２と接続される。無線ＬＡＮ通信部１０８は、プロセッサ１０２による制御により、無線ＬＡＮにより無線通信を行う。
【００３４】
近距離無線通信部１１０は、プロセッサ１０２と接続される。近距離無線通信部１１０は、プロセッサ１０２による制御により、ブルートゥース等の近距離無線通信方式により無線通信を行う。
【００３５】
記憶部１１２は、プロセッサ１０２と接続される。記憶部１１２は、例えば、電気的に書き換えや消去が可能な不揮発性メモリであるフラッシュメモリ素子やＨＤＤ（Ｈａｒｄ  Ｄｉｓｋ  Ｄｒｉｖｅ）等を含む。記憶部１１２は、ＲＯＭ１１４と、ＲＡＭ１１６を有する。ＲＯＭ１１４には、プロセッサ１０２による処理の際に利用される種々のデータが格納される。ＲＡＭ１１６には、プロセッサ１０２により実行される種々のアプリケーションプログラムが格納される。
【００３６】
入力部１１８は、プロセッサ１０２と接続される。入力部１１８は、数字キー、発呼キー、リダイヤルキー、終話・電源キー、クリアキー、電子メールキー等の操作キーを含むようにしてもよい。入力部１１８は、プロセッサ１０２へ、操作キーにより入力される各種指示を入力する。また、入力部１１８は、液晶パネルなどの表示装置とタッチパッドなどの位置入力装置を組み合わせたパッチパネルで構成されてもよい。この場合、入力部１１８は、プロセッサ１０２へ、ユーザにより押された画面上の表示により入力される各種指示を入力する。
【００３７】
表示部１２０は、プロセッサ１０２と接続される。表示部１２０は、プロセッサ１０２による制御により表示する。
【００３８】
＜携帯端末装置１００の機能＞
携帯端末装置１００の機能の一実施例について説明する。
【００３９】
図５は、携帯端末装置１００の機能の一実施例を示す機能ブロック図である。この機能ブロック図により表される機能は、主に、プロセッサ１０２により実行される。プロセッサ１０２は、制御部として機能してもよい。図５の機能ブロック図により表される機能は、記憶部１１２に記憶されたアプリケーション（プログラム）に従ってプロセッサ１０２により実行されてもよい。
【００４０】
プロセッサ１０２は、近距離無線通信制御部６０２と、無線ＬＡＮ通信制御部６０４と、ヘッドセット通信情報通知部６０６と、サーチ依頼部６０８と、通信開始依頼部６１０として機能する。
【００４１】
近距離無線通信制御部６０２は、近距離無線通信部１１０を制御することにより、ヘッドセット２００との間で接続処理を行う。例えば、近距離無線通信制御部６０２は、近距離無線通信部１１０へ、近距離無線通信方式により周辺サーチを行うように制御してもよい。そして、近距離無線通信制御部６０２は、検出されたヘッドセット２００との間で接続処理を行うようにしてもよい。また、近距離無線通信制御部６０２は、ヘッドセット２００との間での接続中に、サーチ依頼部６０８から、ヘッドセット２００と通信可能な通信端末が検出されたことが通知された場合、ヘッドセット２００との間の接続を切断するようにしてもよい。
【００４２】
無線ＬＡＮ通信制御部６０４は、近距離無線通信制御部６０２と接続される。無線ＬＡＮ通信制御部６０４は、無線ＬＡＮ通信部１０８を制御することにより、アクセスポイント３００を介して、通信端末４００との間で接続処理を行う。無線ＬＡＮ通信制御部６０４は、無線ＬＡＮ経由で通信端末をサーチし、近距離無線通信方式による無線通信が可能な通信端末を検知するように制御してもよい。この場合、無線ＬＡＮ通信制御部６０４は、近距離無線通信方式による無線通信が可能な通信端末４００を検出する制御を行う。無線ＬＡＮ通信制御部６０４は、ヘッドセット通信情報通知部６０６、サーチ依頼部６０８へ、近距離無線通信方式による無線通信が可能な通信端末４００との間で接続処理を実行したことを通知する制御を実行する。
【００４３】
ヘッドセット通信情報通知部６０６は、無線ＬＡＮ通信制御部６０４と接続される。ヘッドセット通信情報通知部６０６は、無線ＬＡＮ通信制御部６０４から、通信端末４００との間で接続処理を実行した通知を受けた場合、通信端末４００へ、ヘッドセット通信情報を通知する制御を実行する。
【００４４】
図６は、ヘッドセット通信情報の一実施例を示す。
【００４５】
ヘッドセット通信情報には、宛先となる通信端末４００の情報と、コマンド名と、コマンド付加データが含まれる。図６には、コマンド付加データが示される。
【００４６】
コマンド名には、ヘッドセット通信情報を通知することが含まれる。
【００４７】
コマンド付加データには、ヘッドセット２００の名称（装置名称）と、該ヘッドセット２００のアドレス（ＢＴアドレス）と、通信パスワードが含まれる。
【００４８】
図７は、通信端末４００の情報の一実施例を示す。
【００４９】
通信端末４００の情報には、通信端末４００の名称（装置名称）と、該通信端末４００のアドレスが含まれる。通信端末４００のアドレスは、ＩＰアドレスであってもよいし、ＭＡＣアドレスであってもよい。
【００５０】
サーチ依頼部６０８は、近距離無線通信制御部６０２、無線ＬＡＮ通信制御部６０４と接続される。サーチ依頼部６０８は、無線ＬＡＮ通信制御部６０４から、通信端末４００との間で接続処理を実行した通知を受けた場合、通信端末４００へ、周辺サーチ依頼情報を送信する制御を実行する。周辺サーチ依頼情報には、宛先となる通信端末４００のＩＰアドレスと、コマンド名が含まれる。コマンド名には、周辺サーチを依頼することが含まれる。
【００５１】
サーチ依頼部６０８には、通信端末４００によりヘッドセット２００が検出された場合、該通信端末４００から、ヘッドセット検出通知情報が通知される。ヘッドセット検出通知情報が通知された場合、サーチ依頼部６０８は、近距離無線通信制御部６０２、通信開始依頼部６１０へ、ヘッドセット検出通知情報を通知する。
【００５２】
通信開始依頼部６１０は、サーチ依頼部６０８から、ヘッドセット検出通知情報が入力された場合、通信端末４００へ、通信開始依頼情報を送信する制御を実行する。通信開始依頼情報には、宛先となる通信端末４００のＩＰアドレスと、コマンド名が含まれる。コマンド名には、通信開始を依頼することが含まれる。
【００５３】
＜ヘッドセット２００＞
図８は、ヘッドセット２００の一実施例を示す。図８は、主に、ヘッドセット２００のハードウェア構成が示される。
【００５４】
ヘッドセット２００は、オーディオ入出力部２０２と、近距離通信部２０４とを有する。
【００５５】
オーディオ入出力部２０２は、レシーバ（受話器）からの音に所定の信号処理を実行し、近距離通信部２０４に入力する。また、オーディオ入出力部２０２は、スピーカから、近距離通信部２０４からの音を発する。
【００５６】
近距離通信部２０４は、ブルートゥース等の近距離無線通信方式により無線通信を行う。
【００５７】
＜通信端末４００＞
図９は、通信端末４００の一実施例を示す。図９は、主に、通信端末４００のハードウェア構成が示される。
【００５８】
通信端末４００は、プロセッサ４０２と、無線部４０４と、オーディオ入出力部４０６と、無線ＬＡＮ通信部４０８と、近距離無線通信部４１０と、記憶部４１２と、入力部４１８と、表示部４２０とを有する。
【００５９】
プロセッサ４０２は、無線部４０４、オーディオ入出力部４０６、無線ＬＡＮ通信部４０８、近距離無線通信部４１０、記憶部４１２、入力部４１８、表示部４２０を制御する。
通信端末４００が複数のプロセッサを有するようにしてもよい。この場合、通信端末４００は、通信端末４００の本体を制御するプロセッサと、無線ＬＡＮ通信部４０８と近距離無線通信部４１０を制御するプロセッサとを有するようにしてもよい。例えば、無線ＬＡＮ通信部４０８と近距離無線通信部４１０を制御するプロセッサは、無線ＬＡＮ、近距離無線通信による接続（Ｃｏｎｎｅｃｔｉｖｉｔｙ）を制御する。
【００６０】
無線ＬＡＮ通信部４０８と近距離無線通信部４１０は共通としてもよい。ＣＯＥＸと呼ばれる技術を用いることにより、無線ＬＡＮ通信と近距離無線通信とを同時に動作させることができる。
【００６１】
無線部４０４は、プロセッサ４０２と接続される。無線部４０４は、基地局（図示無し）から送信された無線信号を受信し、所定の信号処理を実行し、プロセッサ４０２へ入力する。また、無線部４０４は、プロセッサ４０２による制御により入力される信号に所定の処理を実行し、基地局（図示無し）へ送信する。
【００６２】
オーディオ入出力部４０６は、プロセッサ４０２と接続される。オーディオ入出力部４０６は、レシーバ（受話器）からの音に所定の信号処理を実行し、プロセッサ４０２に入力する。また、オーディオ入出力部４０６は、プロセッサ４０２による制御により、スピーカから音を発する。
【００６３】
無線ＬＡＮ通信部４０８は、プロセッサ４０２と接続される。無線ＬＡＮ通信部４０８は、プロセッサ４０２による制御により、無線ＬＡＮにより無線通信を行う。
【００６４】
近距離無線通信部４１０は、プロセッサ４０２と接続される。近距離無線通信部４１０は、プロセッサ４０２による制御により、ブルートゥース等の近距離無線通信方式により無線通信を行う。
【００６５】
記憶部４１２は、プロセッサ４０２と接続される。記憶部４１２は、例えば、電気的に書き換えや消去が可能な不揮発性メモリであるフラッシュメモリ素子やＨＤＤ等を含む。記憶部４１２は、ＲＯＭ４１４と、ＲＡＭ４１６を有する。ＲＯＭ４１４には、プロセッサ４０２による処理の際に利用される種々のデータが格納される。ＲＡＭ４１６には、プロセッサ４０２により実行される種々のアプリケーションプログラムが格納される。
【００６６】
入力部４１８は、プロセッサ４０２と接続される。入力部４１８は、数字キー、発呼キー、リダイヤルキー、終話・電源キー、クリアキー、電子メールキー等の操作キーを含むようにしてもよい。入力部４１８は、プロセッサ４０２へ、操作キーにより入力される各種指示を入力する。また、入力部４１８は、液晶パネルなどの表示装置とタッチパッドなどの位置入力装置を組み合わせたパッチパネルで構成されてもよい。この場合、入力部４１８は、プロセッサ４０２へ、ユーザにより押された画面上の表示により入力される各種指示を入力する。
【００６７】
表示部４２０は、プロセッサ４０２と接続される。表示部４２０は、プロセッサ４０２による制御により表示する。
【００６８】
＜通信端末４００の機能＞
通信端末４００の機能の一実施例について説明する。
【００６９】
図１０は、通信端末４００の機能の一実施例を示す機能ブロック図である。この機能ブロック図により表される機能は、主に、プロセッサ４０２により実行される。図１０の機能ブロック図により表される機能は、記憶部４１２に記憶されたアプリケーションに従ってプロセッサ４０２により実行されてもよい。
【００７０】
プロセッサ４０２は、近距離無線通信制御部１００２と、無線ＬＡＮ通信制御部１００４と、ヘッドセット検出通知部１００６として機能する。
【００７１】
近距離無線通信制御部１００２は、近距離無線通信部４１０を制御することにより、ヘッドセット２００との間で接続処理を行う。また、近距離無線通信制御部１００２には、無線ＬＡＮ通信制御部１００４から、携帯端末装置１００により送信された、ヘッドセット通知情報、周辺サーチ依頼情報、通信開始依頼情報が入力される。
【００７２】
近距離無線通信制御部１００２は、ヘッドセット通信情報に含まれる情報を設定する。具体的には、近距離無線通信制御部１００２は、ヘッドセット２００のアドレス（ＢＴアドレス）、通信パスワードを設定する。近距離無線通信制御部１００２は、ヘッドセット２００のＭＡＣアドレスを設定するようにしてもよい。
【００７３】
近距離無線通信制御部１００２は、周辺サーチ依頼情報に従って、近距離無線通信部４１０を制御することにより、周辺サーチを実行する。近距離無線通信制御部１００２は、周辺サーチによりヘッドセット２００を検出した場合には、ヘッドセット検出通知部１００６へ、ヘッドセット２００を検出したことを通知する制御を実行する。
【００７４】
近距離無線通信制御部１００２は、通信開始依頼情報に従って、近距離無線通信部４１０を制御することにより、ヘッドセット２００との間で接続処理を実行する。
【００７５】
無線ＬＡＮ通信制御部１００４は、近距離無線通信制御部１００２と接続される。無線ＬＡＮ通信制御部１００４は、無線ＬＡＮ通信部４０８を制御することにより、アクセスポイント３００を介して、携帯端末装置１００との間で接続処理を行う。無線ＬＡＮ通信制御部１００４は、近距離無線通信制御部１００２へ、携帯端末装置１００により送信された、ヘッドセット通信情報、周辺サーチ依頼情報、通信開始依頼情報を入力する。無線ＬＡＮ通信制御部１００４は、無線ＬＡＮ通信部４０８から、ヘッドセット検出通知部１００６からのヘッドセット検出通知情報を送信する制御を実行する。
【００７６】
ヘッドセット検出通知部１００６は、近距離無線通信制御部１００２、無線ＬＡＮ通信制御部１００４と接続される。ヘッドセット検出通知部１００６は、近距離無線通信制御部１００２によりヘッドセット２００が検出されたことが通知された場合、無線ＬＡＮ通信制御部１００４へ、ヘッドセット検出通知情報を入力する。
【００７７】
＜ヘッドセット２００を通信端末４００へ登録する処理＞
図１１は、ヘッドセット２００を通信端末４００へ登録する処理の一実施例を示す。図１１には、通信端末４００とヘッドセット２００との間でのペアリングが示される。
【００７８】
図１１に示される例では、ヘッドセット２００はサーチ可能状態に設定され、通信端末４００によりサーチが実行される。ヘッドセット２００と通信端末４００との間で、同様の、認証・暗号化が設定されてもよい。
【００７９】
ステップＳ１１０２では、携帯端末装置１００とヘッドセット２００との間で、ブルートゥースによる通信が実行される。
【００８０】
ステップＳ１１０４では、携帯端末装置１００とヘッドセット２００との間での通信の切断が実行される。この切断は、携帯端末装置１００又はヘッドセット２００に対して手動で実行されてもよい。
【００８１】
ステップＳ１１０６では、通信端末４００は、周辺サーチを実行する。この周辺サーチは、手動操作により実行されてもよい。通信端末４００による周辺サーチにより、表示部４２０に、サーチ可能状態に設定されている周囲のブルートゥース機器の一覧が表示される。
【００８２】
ステップＳ１１０８では、通信端末４００は、選択されたヘッドセット２００へ、通信開始依頼を送信する。ユーザは、表示部４２０に表示されたブルートゥース機器の一覧から所望のものを選択する。通信端末４００の一実施例では、ヘッドセット２００が選択される。通信端末４００へ、ヘッドセット２００と同一のパスキーが入力されてもよい。また、通信端末４００、ヘッドセット２００の双方へ、同一のパスキーが入力されてもよい。パスキーの交換が終了することで、ペアリングが完了する。一度ペアリングを行った機器間では、次からは自動的あるいは半自動的に接続が確立される。
【００８３】
ステップＳ１１１０では、ヘッドセット２００と、通信端末４００との間で、ブルートゥースによる無線通信が実行される。
【００８４】
図１２は、通信端末４００の動作の一実施例を示す。図１２には、通信端末４００に、ヘッドセット２００を登録する際の処理が示される。
【００８５】
ステップＳ１２０２では、通信端末４００は、周辺サーチを実行する。この周辺サーチは、手動操作により実行されてもよい。
【００８６】
ステップＳ１２０４では、通信端末４００は、ヘッドセットを検出したか否かを判定する。ヘッドセットが検出されない場合、ステップＳ１２０４へ戻る。
【００８７】
ステップＳ１２０６では、ステップＳ１２０４においてヘッドセットが検出された場合、選択されたヘッドセットに通信開始を依頼する。通信端末４００による周辺サーチにより、表示部４２０に、サーチ可能状態に設定されている周囲のブルートゥース機器の一覧が表示される。通信端末４００は、選択されたヘッドセット２００へ、通信開始依頼を送信する。ユーザは、表示部４２０に表示されたブルートゥース機器の一覧から所望のものを選択する。
【００８８】
ステップＳ１２０８では、通信端末４００とヘッドセット２００との間で、近距離無線通信が開始される。
【００８９】
図１３は、携帯端末装置１００の動作の一実施例を示す。図１３には、ヘッドセット２００と接続中の携帯端末装置１００が、無線ＬＡＮ、近距離無線通信方式により通信可能な通信端末４００と、無線ＬＡＮにより接続し、周辺サーチを依頼し、ヘッドセット２００との間の通信を依頼する処理が示される。
【００９０】
ステップＳ１３０２では、携帯端末装置１００とヘッドセット２００との間で、近距離無線通信方式による通信が実行される。
【００９１】
ステップＳ１３０４では、通信端末４００とアクセスポイント３００との間で、無線ＬＡＮによる通信が実行される。
【００９２】
ステップＳ１３０６では、近距離無線通信方式により無線通信中の携帯端末装置１００とヘッドセット２００が無線ＬＡＮ通信エリアへ進入する。携帯端末装置１００とアクセスポイント３００との間で接続処理が実行される。
【００９３】
ステップＳ１３０８では、携帯端末装置１００は、通信端末４００へ、ヘッドセット通信情報を通知する。
【００９４】
ステップＳ１３１０では、携帯端末装置１００は、通信端末４００へ、周辺サーチ依頼情報を送信する。
【００９５】
ステップＳ１３１２では、通信端末４００は、周辺サーチを実行する。ここでは、通信端末４００は、周辺サーチを実行することにより、ヘッドセット２００を検出する。
【００９６】
ステップＳ１３１４では、通信端末４００は、携帯端末装置１００へ、ヘッドセット検出通知情報を送信する。
【００９７】
ステップＳ１３１６では、携帯端末装置１００は、通信端末４００からのヘッドセット検出通知情報を受信すると、ヘッドセット２００との接続を切断する。
【００９８】
ステップＳ１３１８では、携帯端末装置１００は、通信端末４００へ、近距離無線通信方式により無線通信を開始することを依頼する通信開始依頼情報を送信する。
【００９９】
ステップＳ１３２０では、通信端末４００は、携帯端末装置１００からの通信開始依頼情報に従って、ヘッドセット２００との間で接続処理を実行する。
【０１００】
ステップＳ１３２２では、ヘッドセット２００と通信端末４００との間で、近距離無線通信方式による無線通信が実行される。
【０１０１】
図１４は、携帯端末装置１００の動作の一実施例を示す。図１４は、主に、携帯端末装置１００のプロセッサ１０２による処理が示される。プロセッサ１０２は、制御部として機能する。
【０１０２】
ステップＳ１４０２では、携帯端末装置１００は、無線ＬＡＮに、通信端末４００が接続されているか否かを判定する。無線ＬＡＮに、通信端末４００が接続されていない場合、ステップＳ１４０２へ戻る。
【０１０３】
ステップＳ１４０４では、ステップＳ１４０２において、無線ＬＡＮに、通信端末４００が接続されている場合、携帯端末装置１００は、通信端末４００へ、ヘッドセット通信情報を通知する。
【０１０４】
ステップＳ１４０６では、携帯端末装置１００は、通信端末４００へ、周辺サーチ依頼情報を送信する。
【０１０５】
ステップＳ１４０８では、携帯端末装置１００は、通信端末４００からヘッドセット検出通知情報が通知されたか否かを判定する。通信端末４００からヘッドセット検出通知情報が通知されない場合、ステップＳ１４０８へ戻る。
【０１０６】
ステップＳ１４１０では、ステップＳ１４０８において、通信端末４００からヘッドセット検出通知情報が通知された場合、携帯端末装置１００は、ヘッドセット２００との接続を切断する。
【０１０７】
ステップＳ１４１２では、携帯端末装置１００は、通信端末４００へ、近距離無線通信方式により無線通信を開始することを依頼する通信開始依頼情報を送信する。
【０１０８】
図１５は、通信端末４００の動作の一実施例を示す。図１５は、主に、通信端末４００のプロセッサ４０２による処理が示される。プロセッサ４０２は、制御部として機能する。
【０１０９】
ステップＳ１５０２では、通信端末４００は、携帯端末装置１００から、ヘッドセット通信情報を受信する。
【０１１０】
ステップＳ１５０４では、通信端末４００は、近距離無線通信方式により通信する無線通信装置に、ヘッドセット２００を追加する。
【０１１１】
ステップＳ１５０６では、通信端末４００は、携帯端末装置１００から、周辺サーチ依頼情報を受信したか否かを判定する。周辺サーチ依頼情報を受信しない場合、ステップＳ１５０６へ戻る。
【０１１２】
ステップＳ１５０８では、周辺サーチ依頼情報を受信した場合、通信端末４００は、周辺サーチを実行する。
【０１１３】
ステップＳ１５１０では、通信端末４００は、ヘッドセット２００を検出したか否かを判定する。ヘッドセットを検出しない場合、ステップＳ１５０８へ戻る。
【０１１４】
ステップＳ１５１２では、通信端末４００は、携帯端末装置１００へ、ヘッドセット検出通知情報を送信する。
【０１１５】
ステップＳ１５１４では、通信端末４００は、携帯端末装置１００から、無線通信を開始することを依頼する通信開始依頼情報を受信したか否かを判定する。通信開始依頼情報を受信しない場合、ステップＳ１５１４へ戻る。
【０１１６】
ステップＳ１５１６では、通信端末４００は、携帯端末装置１００から、通信開始依頼情報を受信した場合、ヘッドセット２００との間で無線通信を開始する。
【０１１７】
本実施例によれば、ヘッドセット２００と接続中の携帯端末装置１００は、無線ＬＡＮ、近距離無線通信方式により通信可能な通信端末４００と、無線ＬＡＮにより接続し、該通信端末４００に周辺サーチを依頼し、ヘッドセット２００との通信を依頼する。このようにすることにより、ヘッドセット２００の接続先を切替える際に、周辺サーチを実行させる必要がないため、ヘッドセット２００の消費電力を低減できる。
【０１１８】
以上の実施例を含む実施形態に関し、更に以下の付記を開示する。
（付記１）
第１の無線通信方式により通信を行う第１の無線通信部と、
第２の無線通信方式により通信を行う第２の無線通信部と、
前記第１の無線通信部がヘッドセットと接続中に、前記第１の無線通信方式、前記第２の無線通信方式により通信可能な通信端末を検出した場合に、前記第２の無線通信部に、前記通信端末と接続させ、前記通信端末へ前記第１の無線通信方式によりサーチを実行させる情報を送信し、前記通信端末から前記ヘッドセットが検出されたことが通知された場合に、前記通信端末へ、前記第１の無線通信方式により前記ヘッドセットとの通信を開始させる情報を送信する制御を実行する制御部と
を有する、携帯端末装置。
（付記２）
前記制御部は、前記通信端末へ、前記ヘッドセットの情報を通知する制御を実行し、
前記ヘッドセットの情報に基づいて、前記通信端末により、前記ヘッドセットが検出されたか否かが判定される、付記１に記載の携帯端末装置。
（付記３）
前記制御部は、前記第１の無線通信部に前記ヘッドセットとの通信を切断させた後に、前記通信端末へ、前記第１の無線通信方式により前記ヘッドセットとの通信を開始させる情報を送信する制御を実行する、付記１又は２に記載の携帯端末装置。
（付記４）
前記制御部は、前記第２の無線通信部により前記第２の無線通信方式により通信可能なエリアに進入したことが検知されたことを契機として、前記第１及び第２の無線通信方式により通信可能な通信端末を検出する処理を開始する制御を実行する、付記１ないし３のいずれか１項に記載の携帯端末装置。
（付記５）
第１の無線通信方式、第２の無線通信方式により通信可能な通信端末を、前記第１の無線通信方式によりヘッドセットと接続中に検出した場合に、前記第２の無線通信方式により前記通信端末と接続させ、
前記通信端末へ、前記第１の無線通信方式によるサーチを実行させる情報を送信し、
前記通信端末から前記ヘッドセットが検出されたことが通知された場合に、前記通信端末へ、前記第１の無線通信方式により前記ヘッドセットとの通信を開始させる情報を送信する制御を実行する、通信制御方法。
（付記６）
前記第１の無線通信方式にはブルートゥースが含まれ、前記第２の無線通信方式には無線ＬＡＮが含まれる、付記1ないし４のいずれか1項に記載の携帯端末装置。
（付記７）
第１の無線通信方式により通信を行う第１の無線通信部と、
第２の無線通信方式により通信を行う第２の無線通信部と、
携帯端末装置からのヘッドセットを検出させる情報に基づいて、前記第１の無線通信部に、前記ヘッドセットを検出させ、前記ヘッドセットを検出した場合に、前記携帯端末装置へ、ヘッドセットを検出したことを通知し、前記携帯端末装置からの前記第１の無線通信方式により前記ヘッドセットとの通信を開始させる情報に従って、前記第１の無線通信部に、前記ヘッドセットと接続させる制御を実行する制御部と、
を有する、通信端末。
【符号の説明】
【０１１９】
１００  携帯端末装置
２００  ヘッドセット
３００  アクセスポイント
４００  通信端末
【図１】
2015082760.tif 000003
【図２】
2015082760.tif 000004
【図３】
2015082760.tif 000005
【図４】
2015082760.tif 000006
【図５】
2015082760.tif 000007
【図６】
2015082760.tif 000008
【図７】
2015082760.tif 000009
【図８】
2015082760.tif 000010
【図９】
2015082760.tif 000011
【図１０】
2015082760.tif 000012
【図１１】
2015082760.tif 000013
【図１２】
2015082760.tif 000014
【図１３】
2015082760.tif 000015
【図１４】
2015082760.tif 000016
【図１５】
2015082760.tif 000017